【手続補正書】
【提出日】平成19年2月8日(2007.2.8)
【手続補正１】
【補正対象書類名】明細書
【補正対象項目名】発明の名称
【補正方法】変更
【補正の内容】
【発明の名称】オンライン無料決済処理システムプログラム
【手続補正２】
【補正対象書類名】特許請求の範囲
【補正対象項目名】全文
【補正方法】変更
【補正の内容】
【特許請求の範囲】
【請求項１】
インターネットを利用した電子購買システムで顧客がＷｅｂサイトの商品等の検索から注文や配送の手配から決済までの一連の手続処理を同一画面上で完結できるプログラムシステムで決済処理業者のサーバにサービス等を提供する販売業者や配送業者に決済代金の口座管理を分担するするインターネットバンキングがインターネットや専用回線で何時でも接続できる状態でそれぞれの専門分野を分担して連携しＷｅｂショップやショッピングモールにオークションサイトのＷｅｂサイトに決済処理業者のリンクを張り、受注から決済代金の口座間の振替処理に配送作業等を各業者が分業して決済処理業者のサーバのプログラムの指示に従って取引完結終了までを行える事を特徴とする処理フロープログラムで指定された方式の決済処理では代金決済から代金回収等の手数料を無料で決済処理が可能なシステムとなっているものである。顧客がインターネット上のＷｅｂページで閲覧した商品、サービス等を注文して来ると決済処理サーバは受注番号を決定して自動的にブラウザに返信表示して受注処理を行うと共にデータベースの顧客コードに注文した詳細な情報を自動転記して登録するステップと、顧客が選択するインターネットバンキングに接続後にユーティリティソフトにより顧客の自己口座に自動ログインして指定口座に代金振替処理後サーバ側が巡回ソフトにより入金確認して入金確認メールを自動的に生成して顧客に送信をすると共に口座残高が不足している場合の融資ボタンのクリックによる自動的に決済代金の不足額の融資、立替払いをするステップと、さらに販売業者や出展者に出荷指示メールの送信と配送業者には集荷配送メールがそれぞれ自動的に生成され送信するステップと、配送業者が配送完了するとサーバのデータベースの受注表に配送済の入力がされると自動的に顧客に配送完了のメールが自動生成して送信するステップとタイマーがスタートして規定時間内にクレームが発生しなければ取引成立と判断して一時保管されていた代金を各関連業者の口座に決済処理するステップと一連の処理判断を行い取引を完結できるものである。またインターネット上で券売サービスを利用する際は顧客コード注文情報を入力処理するステップと、特定の個別情報を証明するのにバーコード等で情報をメールで送信して紙面上に印刷ないし携帯端末に情報を入力保存するか或いはカメラで転写等して受付で提示するかして購入した特定の情報の確認、証明に利用する等のステップの各手段を有する電子商取引やオークション等による取引を行うサーバプログラムシステム。
【手続補正３】
【補正対象書類名】明細書
【補正対象項目名】０００２
【補正方法】変更
【補正の内容】
【０００２】インターネットの普及によりＰＣや携帯電話やモバイル機器等でインターネット回線を利用してショッピングやオークションその他入場券やチケット類の購入や申込を行う際に代金や利用料の払込みをする際に決済を行う処理が必要であるが現状においては従来から利用して来た銀行振込や郵便振替それにクレジットカードや代引きにコンビニ決済といろいろな方法があり、各サイトはそれぞれの方式を採用してインターネットに対応した方法にアレンジして決済処理方法として利用されているが、現行の決済システムでの問題点と毎年増大する電子商取引市場に即応した新しい決済システムを開発して大量処理能力とかつ迅速で簡便な方法を提供して市場の要望に即応できる新たなシステムを構築してオンライン取引の更なる発展を可能とするシステムを構築して市場に導入して業界の発展ならびに利用者の利便性並びに経済性の向上に寄与するシステムの必要が大きくなりつつある。
【特許文献】  特願２００３−４３６３０７
【手続補正４】
【補正対象書類名】明細書
【補正対象項目名】０００３
【補正方法】変更
【補正の内容】
【０００３】インターネットを介した商取引等を行なう事により発生する代金の決済方式に関しては旧来から利用されて来たレガシーな方式がまだ主流でインターネットに対応して電子化されているとは言え、現状での決済処理方法においてまだ多くの点で改善して利便性を向上して誰もが簡単で容易に決済処理を行えるようにする必要があるがまだ本格的にインターネット対応で利便性や操作性に優れた方式とは言い難いのが現状であると言える。
【手続補正５】
【補正対象書類名】明細書
【補正対象項目名】０００７
【補正方法】変更
【補正の内容】
【０００７】次にインターネットで商品の緊急な購入や各種サービスを利用する際に申込みと同時に決済処理も同時に行うときに、開設しているインターネットバンクにログインしてＷｅｂ画面上の操作で自己口座の残高が不足している場合に不足金額の調達のために別画面から新たに融資等の申込処理を進行していくのも煩わしいものである。こうした場合に決済画面で融資ボタンをクリックすれば不足額が決済側の貸付となる取決めを事前に契約しておけばスムーズな取引が即座に完結することが出来る。こうしたサービスも完備しておけば更にインターネットショッピングの利便性は向上する。また現状ではクレジットカードもかなり利用されているが個人情報の流出問題や発生する手数料の負担も大きく便利である反面ネットショッピングでの購入はこれらの発生する手数料のために高い買い物となる場合が多い。
【手続補正６】
【補正対象書類名】明細書
【補正対象項目名】０００９
【補正方法】変更
【補正の内容】
【０００９】本発明は従来のインターネットでのショッピング等の購入手順を次のような追加された手段を得て従来の取引手順の問題を改善した処理をするシステムからなるプログラムで処理を行う構成となっている。
構成となっている。
（１）取引上のリスクを防止する為に顧客は商品等が到着後に確認してから最終決済をするので販売者も購入者も不健全な取引や事故の発生を防止する手段を有するので安心して商品の発送や決済処理がおこなえる。
（２）決済処理する際に自己のインターネットバンキングの口座に接続してログインして認証する手段を改善するシステムを有するために極めて簡単な操作により決済処理が可能となる。また購入決済する商品等の金額、数量や日付伝票番号等は次のステップに移行する際は自動的にプログラムが転記するシステムになっているので購入者は入力操作による誤記入の発生を未然に防ぐシステムになっている。
（３）本方式によるインターネットでの商品購入等の決済処理は規定の方式での決済手処理は原則無料で処理が可能となるために購入する商品価格の低価格での購入が可能となり他の同業サイトよりも競争力が強化される。
（４）ＧＵＩによるインターネットバンキングの収支明細表及び決済業者の購入実績明細表とショッピングカートの明細伝票を同一画面に表示する手段を有するために比較検討が容易に行える。
（５）購入時の自己口座の残高不足の際のワンクリックによる決済業者の立替払いする手段があるので後からでも振込むことが出来るので自己口座が残高不足でも即座に対応で出来るため注文操作を中止してやり直す必要がなく連続して発注できる。
（６）サイト運営者が推奨する規定の決済方式でない従来方式の決済手段を希望する顧客には振込まれた代金を自動的に確認するための検索ロボットとなる自動巡回ソフトが作動しているので自分の取引金融機関であり決済処理業者が開設してある口座には定時間毎に入金状況を確認しているので自動的に注文操作は継続して進行される。
これらの手段を実行可能なプログラムシステムにする事で従来のインターネットでの購入から決済までの操作性を格段に改善する事が出来ると共に取引上の事故発生を未然に予防し安全な取引が実現する事が可能となる。
【手続補正７】
【補正対象書類名】明細書
【補正対象項目名】００１０
【補正方法】変更
【補正の内容】
【００１０】前記した手段を実行するために本発明のシステムの基本構成は次のように成り立っている。決済代行業者にあるサーバと配送業者のサーバとインターネットバンキングのサーバはインターネット回線ないし専用回線を通じて必要時いつでも接続ないし、接続可能状態を維持している。上記各サーバ間に於いての情報交換のフォーマットはＥＤＩに統一してデータ交換するようになっている。販売業者は事前にショッピングモールの運営者に許可を得てモールのＷｅｂサイトのページに販売する商品等の情報を掲載して置く。そして顧客は決済処理業者が運営しているショッピングモールのサイト内から希望する商品等を購入する場合、事前に決済処理業者に必要な顧客情報を登録しておく。取引可能な状態にある顧客はＷｅｂサイト内を検索して、ショッピングカートに購入商品等を入れて発注処理を画面の指示に従って操作して行く。注文と同時にインターネットバンキングにも顧客は事前に口座開設登録してあるので自己の口座から決済処理業者の口座に購入商品の代金を一時振替処理すると決済業者は代金振込みが確認されると顧客に振替入金確認のメールが送信される。ショッピングモールに掲載されている商品販売業者に出荷指示するメールが送付されると共に配送業者にも集荷配送指示メールが送付される。配送業者はメールに指示された商品等を販売業社より集荷して顧客の住所に配送した後に決済代行業者のデータベースにインターネットないし専用回線等を通じてデータベースにログインして該当する注文の伝票番号に配送完了を入力処理する。決済代行業者は前期配送完了情報入力後に顧客に配送完了のメールが自動的に生成されて顧客に送信される。また配送完了入力された時からサーバ内部タイマーが起動されて規定の時間が経過するまではまだ振替入金されている代金はそのままの状態で決済処理業者の口座に留保して置かれる。顧客は受領した商品等を確認して異常がなく納得すればそのまま使用等すればいいがもし商品に欠損や異常があれば規定時間内に決済処理業者に状況をメールでクレーム内容を記入して送信すると決済処理業者はクレーム内容を販売者に伝えて問題解決の処理をする。購入者と販売業者間でクレームが解決後に決済業者はそれぞれの業者の口座に留保されていた代金を販売業者と配送業者の口座に振替処理をして決済を行い一取引終了となる。以上が前期（１）で指摘したように取引上の金銭問題のトラブルの発生の予防策で決済業者と配送業者及び決済金融機関によるインターネット通信回線を利用しての三業者連携して協業作業による業務遂行を行い確実な商品等の配送を補完しあう物である。
【手続補正８】
【補正対象書類名】明細書
【補正対象項目名】００１２
【補正方法】変更
【補正の内容】
【００１２】上記（３）の決済手数料の軽減する手段としては当決済処理業者が利用するインターネットバンキングは同行内の口座間での振替処理は無料の金融機関と提携している為に決済時の振替処理には手数料は発生せずに無料となる口座振替をおこなうので指定の方式を利用すると決済処理は無料化される。また従来の方式であるとエクスロウ（第三者預託）や代引きを利用すると利用料が発生すが当システムで決済処理を利用すると決済処理業者と配送業者は業務連絡となるデータ入力はインターネット利用による情報交換であり手数量は発生せずに無料での処理でそもそも最初からエスクロウの手続きをしなくてもエスクロウと同等の効果が生じる構成となるシステムである。また従来方式の場合代引き料金やエクスロウ利用による手数料の発生もなく利用することが可能となるので顧客はそれだけ全体的に見て低価格での購入が出来る事となる。このように従来の決済システムを利用した場合は決済に関する代行サービスを提供する業者が多数入っている場合が多く、利用手数料が発生してくる。それに対して本システムではこれら中間にサービス業者が介在しないので諸費用の発生もなくなり購入者の負担が軽減される事になる。このことは単に顧客である購入者の負担軽減のみでなく販売者も代金回収のためサービス利用の導入費用の負担がなくなるために大きく経費削減が図れることを意味しており、販売価格の設定や経営計画の決定にも影響が大きく大幅な改善が図れることが可能となる。
【手続補正９】
【補正対象書類名】明細書
【補正対象項目名】００１４
【補正方法】変更
【補正の内容】
【００１４】前記（５）の決済画面で顧客は画面を見ながら自己口座の残高とショッピングカートの合計金額を比較して自己口座に残高が不足して場合は画面上にある後払いや立替払いに融資等の表現は違ってもそれらのボタンをクリックすれば顧客は事前審査でパスしていれば決済処理業者が購入金額の不足分を立替払いの形で融資が受けられるものであり、後日指定期日までに自己口座に入金して決済処理業者の口座に振替返済する事が出来るシステムで急ぎの場合等には便利な融資システムとなるものである。
【手続補正１０】
【補正対象書類名】明細書
【補正対象項目名】００１５
【補正方法】変更
【補正の内容】
【００１５】顧客が決済処理業者の指定するインターネットバンキングでない他の金融機関にある口座から振込処理する場合、前期（６）に該当する時にはショッピングカートに決済処理業者は主な都市銀行や地方銀行等にも決済処理業者の振替口座をそれぞれの金融機関等にも開設してあり、顧客の振替処理が出来る体制を造っておいて定時間毎に自動巡回ソフトが各金融機関の振替用の口座を検索して回り、入金データが検索されると直ちに顧客のデータベースに情報が入力され次のステップへと自動的に進行されて
【手続補正１１】
【補正対象書類名】明細書
【補正対象項目名】００１６
【補正方法】変更
【補正の内容】
【００１６】本発明の決済処理を行うために決済処理業者と提携して協働するインターネットバンキングと配送業者の各サーバはそれぞれの独立したプログラムで起動しているがインターネットによるネットワーク回線や専用回線で接続して協働して電子商取引の決済処理を行うにあたって業務活動のシステムを構築する前に統一した技術仕様を確定して各システムは連携して稼動できる体制を取決めて置き、業務開始時には下記のように各サーバが決済処理の各処理手段が行われるようにプログラムが作成されている。
【手続補正１２】
【補正対象書類名】明細書
【補正対象項目名】００２０
【補正方法】変更
【補正の内容】
【００２０】本発明に於ける「宅配業者」とは宅配便等を全国規模で運営する宅配運送業社でロジスティック部門を運営する会社を指す。
【手続補正１３】
【補正対象書類名】明細書
【補正対象項目名】００２５
【補正方法】変更
【補正の内容】
【００２５】図１は決済処理業者Ａが運営するショッピングモールのＷｅｂサイトに商品カテゴリー別に多数の販売業者Ｃが管理者と契約して販売商品等をＷｅｂページに掲載して顧客Ｂからの注文を待つものである。宅配業者Ｄは決済処理業者であるショッピングモール管理者とインターネット或いはＶＰＮで接続されていてショッピングモールが受注した商品等の集荷配送部門の指示される業務を担当していて、その業務を担うことになる。ＥのインターネットバンキングもやはりインターネットやＶＰＮでショッピングモール管理者のサーバが何時でも接続される状態にあり、顧客が注文する商品等の決済代金の資金移動に伴う処理を担当するものである。決済処理業者、販売業者、宅配業者、インターネットバンキングの各業者がインターネットやＶＰＮでデータ交換を行いながら協働して電子商取引を連携して、自社の専門分野の業務を担当してカバーし合い行うものである。また顧客がインターネットで閲覧して発注処理するには携帯電話やＰＤＡからもＰＣと同様に注文から決済までの処理することが可能である。
【手続補正１４】
【補正対象書類名】明細書
【補正対象項目名】００４７
【補正方法】変更
【補正の内容】
【００４７】図３での本発明の実施構成の概要はショッピングモールのサーバは配送業者が管理を行い、配送業務と決済処理代行を兼業する形態を取るものである。代金の流れである入出金は提携するインターネットバンキングが取引代金の口座間の移動の金銭管理部門を担い、販売業者は配送業者が運営するショッピングモールのＷｅｂサイトに販売する商品等を許可を得て▲１▼で掲載して顧客がＷｅｂページを閲覧して顧客が注文するのを待つものである。配送業者が販売業者と顧客の中間に介在して決済の代行からショッピングモールの管理運営、配送までを兼業して販売商品等の全体の流れを把握しながら取引完了までの確実な商取引の運営管理するものである。その業務フローは顧客が配送業者が管理するショッピングモールのＷｅｂサイトに▲２▼でアクセスして希望する商品等を検索閲覧して購入が決定するとショッピングカートに購入する商品等を入れて決済をクリックするとショッピングカートのＧＵＩ画面が▲３▼で図８ショッピングカートの画面が表示されて内容を確認する事が出来る。図１の場合と同じて会員はログインして更にインターネットバンキングのボタンをクリックしてインターネットバンキングの振替表である図９のＧＵＩ画面を表示してログインして認証後に振替処理を依頼する送信のボタンを▲４▼でクリックして顧客の口座からショッピングモールの口座に振替処理をする。ショッピングモール管理者は自己口座に振込みを▲５▼で確認すると▲６▼で顧客に振替入金確認のメールが送信される。つぎにショッピングカート内の商品を販売業者に出荷指示のメールを▲７▼で送信すると共に自社内の宅配部門に集荷の指示を▲８▼で出して集荷作業を行い、▲９▼で顧客の指定配送先に指定期日に配送して配送完了のデータを自己のサーバに入力するとやはりタイマーが作動開始して規定の時間が経過する間にクレームが発生しなければ自社口座に振込まれている代金を販売業者の口座に振替えて一取引が完了する。
【手続補正１５】
【補正対象書類名】明細書
【補正対象項目名】００５４
【補正方法】変更
【補正の内容】
【００５４】本発明はインターネットを利用して電子商取引を行う際に注文から決済処理までをオンライン上で完結するための決済処理サーバを設置し、インターネットで金銭の口座管理が行えるインターネットバンキングとロジステックを担当する配送業者が専属的に業務提携を行い、それぞれのサーバはインターネットＶＰＮ等によってＸＭＬベースのＳＯＡＰで統一した技術仕様でのデータ交換を行えるシステム構成をなし、そこに顧客や販売業者がアクセスして商品や各種サービスを提示して注文購入から決済までの電子商取引が行えるために必要な各種コンポーネントや種々アプリケーションソフトが連携して処理を完遂するシステムで決済処理サーバが各クライアントコンピュータの要求に対してＷｅｂサービスを提供出来る様に構成されており，決済処理サーバのデータベースに個々の取引データが記録され必要に応じて情報提供できるものである。その結果として従来の電子商取引上のリスクを排除して安心して確実な取引を行うことが可能となると共に従来の流通システム上発生しうる経費を抑制するシステムで無料での決済処理を実現し、低価格での物品やサービスが必要時にどこからでも容易に迅速且つ簡便な方法で実施することが可能となる。購入者の無料での決済処理と販売者側の電子商取引での代金回収システム構築が無料でのアウトソーシングが可能となり、販売経費抑制に多大な恩恵を受けることが可能で同業の他サイトとの競争力が強化される事になる。こうして顧客はインターネットによる電子商取引で発注から決済、配送までをリアルショップよりも安価で且つ安全でスムーズな商品等の購入が可能となり、より有効な時間を営むことが出来るものである。また前記した処理システムの操作上のＷｅｂテクノロジーは一例であり絶えず進化するＩＴ技術を最新の組合せでシステムを構築して最新の操作方法を成し得る事をめざすもので絶えず新しい技術を導入しながら進化して行くものであり顧客に対して常に最良のサービスの提供を目的とするものである。常に顧客サービス第一主義に徹してインターネットの発展と社会生活上における各種取引等の諸費用の軽減化を達成すると共に卓越したインターネットによる技術基盤の構築をめざすものである。従来の決済システムにおいては支払い義務を負うものと権利者である受け取る側の間に仲介業者が単独ないし複数介在して利用手数料を徴収するために必然的に多重に利用料が発生するために販売原価が高くなるのを防ぐシステム構造にして安価な流通システムを構築するものである。それが本発明の第一の基本的要求項目で次に安全な取引の達成を成し得るものであり、見えない相手であってもまた初回の取引相手であっても毎回安全確実な取引の実践を可能にする配送システムの構築がされるものである。これらを実現するのが本発明の最大の目的であり、利用することによって得られる効果であり達成できるシステムである。本発明に於いて操作性、簡便性、機密保持性、を改善することを目的とするものであるがこのステップの次に来るものは決済ボタンをワンクリックする事で決済処理を完結することにあり、これを達成するプログラムの作成にあり、ユーティリティソフトを作成して顧客の端末にダウンロードしてインストールすることによりプログラムがそれぞれの各種コンポーネントが必要時に自動的に起動して決済処理完結まで進行する事を目的とするものである。